(57)【要約】【課題】たとえ、解錠のための解錠符号列の全部または一部が崩されないまま放置されても、解錠符号列が第三者に容易に読み取られて記憶されることのないようにする。【解決手段】ダイヤル錠１は、錠機構が組み込まれた胴体部１０と、胴体部１０の前面の開口部１１に装着され複数個のダイヤル１３を施錠および解錠の各操作が可能なように外部に臨ませる前面プレート７とを有する。前面プレート７には、各ダイヤル１３の符号が見えないように全てのダイヤル１３を覆うことが可能な大きさの蓋板３が開閉可能に設けられている。蓋板３の両側端の上端部はヒンジ機構４により回動可能に支持されている。ヒンジ機構４は、前面プレート７上の全てのダイヤル１３を挟んで対向する位置に一体形成された軸受部７２ａ，７２ｂと、蓋板３の上端部の両側端より突出し先端部が各軸受部の軸受穴に回動自由に支持される枢軸５ａ，５ｂとで構成されている。【選択図】図６
2012251419.tif 000002
【特許請求の範囲】
【請求項１】
錠機構が組み込まれた胴体部と、胴体部の前面の開口部に装着され複数個のダイヤルを施錠および解錠の各操作が可能なように外部に臨ませる前面プレートとを有し、前記前面プレートには、各ダイヤルの符号が見えないように全てのダイヤルを覆うことが可能な大きさの蓋板が開閉可能に設けられて成るダイヤル錠。
【請求項２】
前記蓋板は、横並びのダイヤルに対して上開きまたは下開きとなるように、両側端の上端部または下端部がヒンジ機構により回動可能に支持されるものである請求項１に記載されたダイヤル錠。
【請求項３】
前記蓋板は、縦並びのダイヤルに対して右開きまたは左開きとなるように、上下端の右側端部または左側端部がヒンジ機構により回動可能に支持されるものである請求項１に記載されたダイヤル錠。
【請求項４】
前記蓋板は、横並びのダイヤルに対して上開きと下開きのいずれにもなるように、両側端の上端部と下端部がヒンジ機構により回動可能に支持されることが可能になっている請求項１に記載されたダイヤル錠。
【請求項５】
前記蓋板は、縦並びのダイヤルに対して右開きと左開きのいずれにもなるように、上下端の右側端部と左側端部がヒンジ機構により回動可能に支持されることが可能になっている請求項１に記載されたダイヤル錠。
【請求項６】
前記ヒンジ機構は、前面プレート上の全てのダイヤルを挟んで対向する位置に前面プレートと一体形成された軸受部と、各軸受部に対向させる蓋板の端部位置より突出し先端部が各軸受部の軸受穴に回動自由に支持される枢軸とで構成されている請求項２〜５のいずれかに記載されたダイヤル錠。
【請求項７】
前記ヒンジ機構は、蓋板の開き角度が９０度より大きいときは蓋板をさらに開く方向へ付勢し、開き角度が９０度より小さいときは蓋板を閉じる方向へ付勢する機構を含んでいる請求項２〜６のいずれかに記載されたダイヤル錠。
【請求項８】
前記蓋板は、上下の各端縁または左右の各側端縁が前面プレートに形成された対向するガイド溝にスライド自由に支持されている請求項１に記載されたダイヤル錠。
【発明の詳細な説明】
【技術分野】
【０００１】
この発明は、ロッカー、キャビネットなどに組み込まれる複数個のダイヤルをもつダイヤル錠に関し、特にこの発明は、解錠のための解錠符号列が第三者に容易に記憶されないようにしたダイヤル錠に関する。
【背景技術】
【０００２】
一般にダイヤル錠は、予め決められた解錠符号列が記憶機構に記憶させてあり、例えばロッカー使用者は、ロッカーに荷を入れるに際して、複数個のダイヤルを回動操作し、解錠符号列を整列させて解錠状態にした後、扉を開くための摘み操作を行う。ロッカーに荷を入れ、扉を閉じるための摘み操作を行った後、再びダイヤルを回動操作し、解錠符号列を崩して施錠状態にする。
ロッカーより荷を取り出すときも、複数個のダイヤルを回動操作し、解錠符号列を整列させて解錠状態にした後、扉を開くための摘み操作を行う。ロッカーより荷を取り出し、扉を閉じるための摘み操作を行った後、ロッカーが空であっても、再びダイヤルを回動操作し、解錠符号列を崩して施錠状態にしておく。
【０００３】
典型的なダイヤル錠は、錠機構が組み込まれた胴体部の前面の開口部に前面プレートが装着された構造のものである。前面プレートにはダイヤル毎の窓孔が開設されており、各窓孔にダイヤルの外周部を臨ませ、施錠および解錠の各操作を可能としている。各ダイヤルの符号は外部より視認可能であり、特に解錠符号列が固定されている方式のダイヤル錠では、第三者に解錠符号列が記憶されると、防犯機能が果たせなくなる。そのため、ロッカーへ荷を入れるときもロッカーより荷を取り出すときも、扉を閉じた後、各ダイヤルを回動操作し、解錠符号列を崩して施錠状態にすることが必要である（例えば、特許文献１参照）。
【先行技術文献】
【特許文献】
【０００４】
【特許文献１】特開２０１０−３７８１６号公報
【発明の概要】
【発明が解決しようとする課題】
【０００５】
しかし、特に、ロッカーより荷を取り出したとき、解錠符号列を崩す操作を忘れることがあり、その場合、解錠符号列が露わになった状態となり、第三者は解錠符号列を即座に読み取って記憶することができる。また、ロッカーへ荷を入れたとき、次の解錠操作の手数を軽減するため、複数個のダイヤルのうちの特定の１個のダイヤルのみを回動操作して解錠符号列を崩すようなことが行われている。仮に解錠符号列が４桁で構成されていると仮定すると、解錠符号列の３桁分は常に露わな状態になっており、第三者は解錠符号列の３桁分を読み取って記憶すれば、残りの１桁についてダイヤルを合わせれば簡単に解錠できるため、防犯機能が著しく低下する。
【０００６】
この発明は、上記の問題に着目してなされたもので、たとえ、解錠のための解錠符号列の全部または一部が崩されないまま放置されても、解錠符号列が第三者に即座に読み取られて記憶されるおそれのないダイヤル錠を提供することを目的とする。
【課題を解決するための手段】
【０００７】
この発明によるダイヤル錠は、錠機構が組み込まれた胴体部と、胴体部の前面の開口部に装着され複数個のダイヤルを施錠および解錠の各操作が可能なように外部に臨ませる前面プレートとを有する。前記前面プレートには、各ダイヤルの符号が見えないように全てのダイヤルを覆うことが可能な大きさの蓋板が開閉可能に設けられている。
【０００８】
上記したダイヤル錠では、蓋板によって全てのダイヤルが覆われて各ダイヤルの符号が見えないようになっているので、たとえ、解錠のための解錠符号列の全部または一部が崩されないまま放置されても、解錠符号列が第三者に即座に読み取られて記憶されるおそれはない。
【０００９】
この発明の好ましい実施態様においては、前記蓋板は、横並びのダイヤルに対して上開きまたは下開きとなるように、両側端の上端部または下端部がヒンジ機構により回動可能に支持されるものであり、この発明の他の好ましい実施態様においては、前記蓋板は、縦並びのダイヤルに対して右開きまたは左開きとなるように、上下端の右側端部または左側端部がヒンジ機構により回動可能に支持されるものである。
【００１０】
この発明のさらに好ましい実施態様においては、前記蓋板は、横並びのダイヤルに対して上開きと下開きのいずれにもなるように、両側端の上端部と下端部がヒンジ機構により回動可能に支持されることが可能になっており、この発明の他の好ましい実施態様においては、前記蓋板は、縦並びのダイヤルに対して右開きと左開きのいずれにもなるように、上下端の右側端部と左側端部がヒンジ機構により回動可能に支持されることが可能になっている。
【００１１】
この実施態様によると、横並びのダイヤルに対しては、蓋板は上開きにも下開きにもなり、同様に、縦並びのダイヤルに対しては、蓋板は右開きにも左開きにもなるので、ユーザーの好みやダイヤル錠の組込状態などに適宜対応させることができる。
【００１２】
この発明の好ましい実施態様では、前記ヒンジ機構は、前面プレート上の全てのダイヤルを挟んで対向する位置に一体形成された軸受部と、各軸受部に対向させる蓋板の端部位置より突出し先端部が各軸受部の軸受穴に回動自由に支持される枢軸とで構成される。
この実施態様によると、各軸受部に対向させる蓋板の端部位置を支点として蓋板を回動させることで蓋板が開いて全てのダイヤルが露出するので、各ダイヤルによる解錠または施錠のための操作が可能となる。また、蓋板を逆方向へ回動させることで蓋板が閉じて全てのダイヤルが覆われるので、各ダイヤルの符号が即座に読み取られることはない。
【００１３】
この発明のさらに好ましい実施態様によると、前記ヒンジ機構は、蓋板の開き角度が９０度より大きいときは蓋板をさらに開く方向へ付勢し、開き角度が９０度より小さいときは蓋板を閉じる方向へ付勢する機構を含んでいる。
この実施態様によると、蓋板を開いて蓋板の開き角度が９０度より大きくなると、蓋板はさらに開く方向へ付勢されるので、蓋板は開放状態が維持され、蓋板から手を離しても蓋板は閉動作せず、両手が自由に使えて解錠操作や施錠操作が行い易くなる。また、蓋板を閉じて蓋板の開き角度が９０度より小さくなると、蓋板は閉じる方向へ付勢されるので、蓋板は半開き状態になることがなく、完全に閉じた状態で安定する。
【００１４】
なお、蓋板は、上記したヒンジ機構による回動によって開閉する構造のものに限らず、蓋板の上下の各端縁または左右の各側端縁が前面プレートに形成された対向するガイド溝にスライド自由に支持されるような構造のものであってもよい。
【発明の効果】
【００１５】
この発明によれば、たとえ、解錠のための解錠符号列の全部または一部が崩されないまま放置されても、蓋板により全てのダイヤルが覆われるので、解錠符号列が第三者に即座に読み取られて記憶されるおそれがない。
【図面の簡単な説明】
【００１６】
【図１】この発明の一実施例であるダイヤル錠を示す斜視図である。
【図２】蓋板を開いた状態のダイヤル錠の側面図である。
【図３】蓋板を閉じた状態のダイヤル錠の正面図である。
【図４】蓋板を閉じた状態のダイヤル錠の底面図である。
【図５】蓋板を閉じた状態のダイヤル錠の一部を断面した側面図である。
【図６】ダイヤル錠の前面プレートおよび蓋板を分解して示す斜視図である。
【図７】ヒンジ機構の構成を示す断面図である。
【図８】図７のＡ−Ａ線に沿う断面図である。
【図９】図７のＢ−Ｂ線に沿う断面図である
【図１０】軸受穴を正面から見た図である。
【図１１】蓋板の開閉に伴って軸回動する枢軸と軸受穴との関わりを示す平面図である。
【図１２】蓋板の開閉に伴って軸回動する枢軸の状態を示す側面図である。
【図１３】この発明の他の実施例のダイヤル錠を示す斜視図である。
【図１４】蓋板を開いた状態の図１３の実施例の平面図である。
【図１５】蓋板を閉じた状態の図１３の実施例の正面図である。
【図１６】この発明の他の実施例のダイヤル錠を示す斜視図である。
【図１７】蓋板を開いた状態の図１６の実施例の平面図である。
【図１８】蓋板を閉じた状態の図１６の実施例の正面図である。
【図１９】この発明の他の実施例のダイヤル錠であって蓋板を右開きに設定した状態を示す斜視図である。
【図２０】図１９の実施例であって蓋板を左開きに設定した状態を示す斜視図である。
【図２１】この発明の他の実施例のダイヤル錠を示す側面図である。
【図２２】この発明の他の実施例のダイヤル錠を示す平面図である。
【図２３】他の実施例のダイヤル錠を示す平面図である。
【図２４】図２３のＣ−Ｃ線に沿って一部を断面した側面図である。
【発明を実施するための形態】
【００１７】
図１〜図４は、この発明の一実施例である蓋開閉機構２を有するダイヤル錠１の外観を示し、図１および図２に蓋板３が開かれた状態が、図３および図４に蓋板３が閉じられた状態が、それぞれ示してある。
図示のダイヤル錠１は、ロッカーなどの扉に取り付けられるもので、直方体をなす中空の胴体部１０の内部に錠機構が組み込まれるとともに、図６に示すように、胴体部１０の前面の開口部１１に合成樹脂製の前面プレート７が装着されたものである。前面プレート７には、円形の開口部７０と４個の矩形状の窓孔７１とが開設され、開口部７０には摘み１２を、各窓孔７１にはダイヤル１３を、それぞれ臨ませてダイヤル操作部１４を構成している。横並びの各ダイヤル１３は、解錠および施錠に際して解錠符号列を揃えたり崩したりするのに操作されるもので、外周面に複数個の符号（例えば、０〜９の数字）が表されている。胴体部１０の後面には摘み１２と一体に回動するネジ軸１５が突出し、このネジ軸１５に図示しない掛け金具がナットにより取り付けられる。掛け金具はネジ軸１５の正逆回動と一体に起伏動作し、ロッカーなどの筐体側に取り付けられた受け金具に係脱する。
【００１８】
ダイヤル錠１は解錠符号列が記憶機構に記憶されており、施錠に際して、ダイヤル操作部１４の複数個のダイヤル１３を回動操作して解錠符号列を整列させると、解錠状態となり、摘み１２を回して掛け金具を回動させることができる。掛け金具を受け金具に係合させた後、ダイヤル１３を回動操作して解錠符号列を崩すと、施錠状態になり、摘み１２を回すことができなくなる。解錠に際して、ダイヤル１３を回動操作して解錠符号列を整列させると、解錠状態になり、摘み１２を回して掛け金具を前記と反対方向へ回動させ、受け金具との係合を外すことができる。
【００１９】
ダイヤル錠１のダイヤル操作部１４上には、全てのダイヤル１３を覆うことが可能な大きさの目隠しのための合成樹脂製の蓋板３が開閉可能に設けられている。なお、図示例の蓋板３は４個のダイヤル１３のみを覆う構成のものであるが、図２２に示すように、４個のダイヤル１３と摘み１２との両方を覆う構成のものであってもよい。蓋板３の下面には、上端縁に沿う筒状部３１、下端縁に沿う突縁部３２および摘み部３３、前面プレート７の隣合う窓孔７１，７１間に突き当たるリブ３４がそれぞれ一体形成されている。筒状部３１は、図７および図８に示すように、内部が中空であり、長さ中央部に仕切壁３５を有しており、仕切壁３５を挟む両側に後述する軸支穴３６ａ，３６ｂが形成されている。なお、仕切壁３５は各軸支穴３６ａ，３６ｂの穴底を構成している。
【００２０】
蓋板３は、筒状部３１の両側端を支点として回動して前後方向へ起伏動作することにより開閉されるもので、筒状部３１の両側端部がヒンジ機構４を介して前面プレート７に支持されている。この実施例の構成では、蓋板３は上開きとなる。なお、ヒンジ機構４は、図示していないが、蓋板３の下面に下端縁に沿う筒状部を形成してその両側端を支点として回動させるように構成してもよく、その場合は蓋板３は下開きとなる。また、後述する図１３〜図１８の実施例のように、蓋板３の下面に一側端縁に沿う筒状部を形成してその上下端を支点として回動させるように構成してもよく、その場合は蓋板３は右開きまたは左開きとなる。
【００２１】
ヒンジ機構４は、蓋板３の開き角度θが９０度より大きい状態では蓋板３をさらに開放する方向へ付勢し、９０度より小さい状態では蓋板３を閉じる方向へ付勢する機能を有しており、前面プレート７の上面の全てのダイヤル１３を挟んで対向する位置に突設された左右の軸受部７２ａ，７２ｂと、蓋板３の筒状部３１の両側端に開口する前記軸支穴３６ａ，３６ｂ内にそれぞれ回動不能かつスライド自由に支持される左右の合成樹脂製の枢軸５ａ，５ｂと、各軸支穴３６ａ，３６ｂ内の仕切壁３５と枢軸５ａ，５ｂとの間に介装されるバネ６ａ，６ｂとで構成されている。各軸支穴３６ａ，３６ｂは、図９に示すように、径方向の断面が四角形状の角穴であり、一方、枢軸５ａ，５ｂの基端部は角穴に適合する断面形状の角軸部５１になっている。なお、前記の各軸支穴３６ａ，３６ｂ内の仕切壁３５は必ずしも不可欠なものではなく、この仕切壁３５をなくし、２個のバネ６ａ，６ｂを１個のバネに代えて、そのバネを枢軸５ａ，５ｂ間に介装するようにしてもよい。
【００２２】
前記軸受部７２ａ，７２ｂは前面プレート７上に一体形成されており、各軸受部７２ａ，７２ｂに連なる側縁枠７３ａ，７３ｂと一体形成されている。各軸受部７２ａ，７２ｂの互いに対向する位置には、図１０に示すように、有底の軸受穴７４ａ，７４ｂが形成されており、各軸受穴７４ａ，７４ｂに蓋板３の筒状部３１の開口端より突出する枢軸５ａ，５ｂの先端部の丸軸部５２が回動自由に支持される。
【００２３】
各枢軸５ａ，５ｂの丸軸部５２の先端部は、図７および図８に示すように、反対方向を向くテーパ面５３，５３によって先細の形状に形成されており、先が尖った尖端縁５４を頂部として各テーパ面５３，５３が軸周面に向けて裾拡がりになっている。一方、左右の各軸受穴７４ａ，７４ｂの穴底にはＶ字状の溝（以下「Ｖ溝」という。）７５が形成されており、蓋板３が閉じた状態のときに前記丸軸部５２の各テーパ面５３，５３はＶ溝７５の対向する溝壁に、尖端縁５４はＶ溝７５の溝底部７６に、それぞれ当接する。
【００２４】
図１３〜図１５は、この発明の他の実施例に係るダイヤル錠１の外観を示し、図１３および図１４に蓋板３が開かれた状態が、図１５に蓋板３が閉じられた状態が、それぞれ示してある。
この実施例は、４個のダイヤル１３が縦並びになっており、この縦並びの４個のダイヤル１３に対して蓋板３が右開きとなるように、蓋板３の上下端の右側端部がヒンジ機構４により回動可能に支持されている。また、この実施例では、蓋板３を９０度超えて開くとき、蓋板３の開き角度θがほぼ１８０度になるように、蓋板３の上面のヒンジ機構４に近い側に帯状のくぼみ部３７が蓋板３の全長にわたって形成されている。このくぼみ部３７の存在によって、蓋板３を９０度超えて開いたとき、前面プレート７の側縁部分がくぼみ部３７に入り込むことで、蓋板３が十分に開けるようになっている。
【００２５】
図１６〜図１８は、蓋板３を左開きとした実施例の外観を示し、図１６および図１７に蓋板３が開かれた状態が、図１８に蓋板３が閉じられた状態が、それぞれ示してある。
この実施例は、縦並びの４個のダイヤル１３に対して蓋板３が左開きとなるように、蓋板３の上下端の左側端部がヒンジ機構４により回動可能に支持されている。
なお、上記した図１３〜図１５の実施例および図１６〜図１８の実施例におけるヒンジ機構４は、図１〜図１２の実施例のものと同様の構成であり、ここでは説明を省略する。
【００２６】
図１９および図２０は、縦並びのダイヤル１３に対して蓋板３が右開きと左開きのいずれにもなるように構成されている実施例を示す。図１９に示すように、蓋板３を右開きとするときは、蓋板３の上下端の右側端部を上記の各実施例と同様の構成のヒンジ機構４により回動可能に支持し、また、図２０に示すように、蓋板３左開きとするときは、蓋板３の上下端の左側端部を上記の各実施例と同様の構成のヒンジ機構４により回動可能に支持するもので、前面プレート７上の全てのダイヤル１３を挟んで対向する左右対称位置にそれぞれ軸受穴７４ａ，７４ａおよび７４ｂ，７４ｂが形成されている。
【００２７】
なお、前面プレート７の使用しない側の軸受穴７４ａ，７４ｂ、すなわち、図１９に示す右開きの蓋板３の場合は左端側の軸受穴７４ａ，７４ｂ、図２０に示す左開きの蓋板３の場合は右端側の軸受穴７４ａ，７４ｂは開口状態のままにしてもよいが、軸受穴７４ａ，７４ｂ上に目隠しシートを貼設するなどして塞ぐようにしてもよい。
また、図示していないが、図１９，２０の実施例と同様、軸受穴７４ａ，７４ｂを適所に設けることにより、横並びのダイヤル１３に対して蓋板３が上開きと下開きのいずれにもなるように構成することもできる。
【００２８】
上記の各実施例では、ヒンジ機構４は、蓋板３の長辺側に沿う両端位置、すなわち、４個のダイヤル１３の並びを挟む蓋板３の両端位置に設けられているが、図２１に示す実施例のように、蓋板３の短辺側に沿う両端位置、すなわち、一方の端部のダイヤル１３を挟む蓋板３の両端位置に設けることで、蓋板３を上記の各実施例の開放方向と直角をなす方向に開くように構成することもできる。
【００２９】
図２３および図２４は、蓋板３をスライド方式としたこの発明の他の実施例を示している。図示のダイヤル錠１は、前面プレート７の上面の上下端縁にガイド部８，８を形成し、各ガイド部８の対向する内面に形成したガイド溝８０に蓋板３の上下の各端縁をスライド自由に支持するよう構成したものである。蓋板３の上面には取っ手８１が突設され、この取っ手８１に指先を引っ掛けて蓋板３を左右方向へ往復動させて開閉動作させる。なお、ガイド部８は前面プレート７の上面の左右に形成することもでき、この場合、蓋板３は上下方向にスライドさせて開閉動作させる。
【００３０】
上記した図１〜図１２に示す実施例のダイヤル錠１において、蓋板３が閉じた状態のとき、蓋板３によってダイヤル操作部１４が覆われているので、各ダイヤル１３の符号の並びを外部より視認できない。したがって、たとえ、解錠のための解錠符号列の全部または一部が崩されないまま放置されていても、解錠符号列が第三者に即座に読み取られて記憶されるおそれはない。
【００３１】
蓋板３が閉状態のとき、ヒンジ機構４は、図１１（１）に示すように、左右の各軸受穴７４ａ，７４ｂの穴底のＶ溝７５の溝壁に、左右の枢軸５ａ，５ｂの丸軸部５２の各テーパ面５３，５３が当接するとともに、Ｖ溝７５の溝底部７６に丸軸部５２の尖端縁５４が当接することで閉状態が保持されている。なお、図１２（１）は、蓋板３を閉じた状態のときの各枢軸５ａ，５ｂの丸軸部５２の各テーパ面５３，５３および尖端縁５４の向きを示している。
【００３２】
解錠に際して、蓋板３の摘み部３３を持って開くと、左右の枢軸５ａ，５ｂの丸軸部５２は左右の各軸受穴７４ａ，７４ｂ内を軸回動しつつ丸軸部５２の尖端縁５４がＶ溝７５の溝壁に沿って押し上げられる。蓋板３の開き角度θがほぼ９０度に達すると、図１１（２）および図１２（２）に示すように、丸軸部５２の尖端縁５４はＶ溝７５の溝底部７６と直交して溝開口上に跨った状態となる。この状態では各枢軸５ａ，５ｂがバネ６ａ，６ｂを圧縮して軸支穴３６ａ，３６ｂ内へ押し込んでいるので、バネ６ａ，６ｂが復帰しようとするバネ圧が各枢軸５ａ，５ｂに作用して丸軸部５２の尖端縁５４をＶ溝７５の溝壁に押し付ける結果、丸軸部５２の尖端縁５４がＶ溝７５の溝開口に跨った状態が保持され、蓋板３は開いた状態に保たれる。
【００３３】
蓋板３をさらに開いて蓋板３の開き角度θが９０度を超えると、バネ６ａ，６ｂのバネ圧により蓋板３がさらに開放される方向へ付勢され、丸軸部５２の各テーパ面５３，５３が各軸受穴７４ａ，７４ｂのＶ溝７５に当接するに至るとき、蓋板３はほぼ１８０度開いた状態となる。この実施例では、図２に示すように、蓋板３の開き角度θがほぼ１３５度に達したとき、蓋板３がダイヤル錠１の胴体部１０の前面開口縁に突き当たるので、蓋板３はほぼ１３５度開いた状態に保たれる。
図１１（３）は、蓋板３が１３５度開いた状態のときの各枢軸５ａ，５ｂの丸軸部５２とＶ溝７５との関わり状態を、また、図１２（３）は丸軸部５２の各テーパ面５３，５３および尖端縁５４の向きを、それぞれ示している。
【００３４】
上記したように、蓋板３の開き角度θが９０度のときは蓋板３は９０度開いた状態に保持され、さらに、開き角度θが９０度を超えたときは蓋板３は１３５度で開いた状態で保持されるので、蓋板３から手を離してダイヤル操作を行うことができる。各ダイヤル１３を回動操作して解錠符号列を揃えると、ダイヤル錠１は解錠状態となり、摘み１２を回してネジ軸１５を回動させて掛け金具を受け金具より外す。
【００３５】
施錠時は、解錠符号列を揃えた状態で摘み１２を回してネジ軸１５を回動させ、掛け金具を受け金具に係合させた後、ダイヤル１３を回動操作して解錠符号列を崩すと、ダイヤル錠１は施錠状態となる。
その後、蓋板３の摘み部３３を持って蓋板３を閉じるが、蓋板３の開き角度θが９０度より小さくなると、バネ６ａ，６ｂのバネ圧により蓋板３が閉じる方向へ付勢され、丸軸部５２の各テーパ面５３，５３が各軸受穴７４ａ，７４ｂのＶ溝７５の溝壁に当接し、尖端縁５４がＶ溝７５の溝底部７６に当接したとき、蓋板３は完全に閉じた状態で安定する。
【００３６】
なお、図１３〜図２０に示す各実施例についても、上記の図１〜図１２の実施例と同様の機能を有し、同様の動作を行うものであり、ここではその説明を省略する。
【符号の説明】
【００３７】
１    ダイヤル錠
３    蓋板
４    ヒンジ機構
５ａ，５ｂ  枢軸
６ａ，６ｂ  バネ
７    前面プレート
８    ガイド部
１０  胴体部
１１  開口部
７２ａ，７２ｂ  軸受部
７４ａ，７４ｂ  軸受穴
８０  スライド溝
【図１】
2012251419.tif 000003
【図２】
2012251419.tif 000004
【図３】
2012251419.tif 000005
【図４】
2012251419.tif 000006
【図５】
2012251419.tif 000007
【図６】
2012251419.tif 000008
【図７】
2012251419.tif 000009
【図８】
2012251419.tif 000010
【図９】
2012251419.tif 000011
【図１０】
2012251419.tif 000012
【図１１】
2012251419.tif 000013
【図１２】
2012251419.tif 000014
【図１３】
2012251419.tif 000015
【図１４】
2012251419.tif 000016
【図１５】
2012251419.tif 000017
【図１６】
2012251419.tif 000018
【図１７】
2012251419.tif 000019
【図１８】
2012251419.tif 000020
【図１９】
2012251419.tif 000021
【図２０】
2012251419.tif 000022
【図２１】
2012251419.tif 000023
【図２２】
2012251419.tif 000024
【図２３】
2012251419.tif 000025
【図２４】
2012251419.tif 000026
【手続補正書】
【提出日】平成24年9月18日(2012.9.18)
【手続補正１】
【補正対象書類名】特許請求の範囲
【補正対象項目名】全文
【補正方法】変更
【補正の内容】
【特許請求の範囲】
【請求項１】
錠機構が組み込まれた胴体部と、胴体部の前面の開口部に装着され複数個のダイヤルを施錠および解錠の各操作が可能なように外部に臨ませる前面プレートとを有し、前記前面プレートには、各ダイヤルの符号が見えないように全てのダイヤルを覆うことが可能な大きさの蓋板がヒンジ機構を介して開閉可能に設けられて成るダイヤル錠。
【請求項２】
前記ヒンジ機構は、蓋板の開き角度が９０度より大きいときは蓋板をさらに開く方向へ付勢し、開き角度が９０度より小さいときは蓋板を閉じる方向へ付勢する機構を含んでいる請求項１に記載されたダイヤル錠。
【請求項３】
前記ヒンジ機構は、前面プレート上の全てのダイヤルを挟んで対向する位置に前面プレートと一体形成された軸受部と、各軸受部に対向させる蓋板の端部位置より突出し先端部が各軸受部の軸受穴に回動自由に支持される枢軸とで構成されている請求項１または２に記載されたダイヤル錠。
【請求項４】
前記蓋板は、横並びのダイヤルに対して上開きまたは下開きとなるように、両側端の上端部または下端部がヒンジ機構により回動可能に支持されるものである請求項１〜３のいずれかに記載されたダイヤル錠。
【請求項５】
前記蓋板は、縦並びのダイヤルに対して右開きまたは左開きとなるように、上下端の右側端部または左側端部がヒンジ機構により回動可能に支持されるものである請求項１〜３のいずれかに記載されたダイヤル錠。
【請求項６】
前記蓋板は、横並びのダイヤルに対して上開きと下開きのいずれにもなるように、両側端の上端部と下端部がヒンジ機構により回動可能に支持されることが可能になっている請求項１〜３のいずれかに記載されたダイヤル錠。
【請求項７】
前記蓋板は、縦並びのダイヤルに対して右開きと左開きのいずれにもなるように、上下端の右側端部と左側端部がヒンジ機構により回動可能に支持されることが可能になっている請求項１〜３のいずれかに記載されたダイヤル錠。
【請求項８】
錠機構が組み込まれた胴体部と、胴体部の前面の開口部に装着され複数個のダイヤルを施錠および解錠の各操作が可能なように外部に臨ませる前面プレートとを有し、前記前面プレートには、各ダイヤルの符号が見えないように全てのダイヤルを覆うことが可能な大きさの蓋板が、上下の各端縁または左右の各側端縁が前面プレートに形成された対向するガイド溝にスライド自由に支持されることにより開閉可能に設けられて成るダイヤル錠。
【手続補正２】
【補正対象書類名】明細書
【補正対象項目名】０００７
【補正方法】変更
【補正の内容】
【０００７】
この発明によるダイヤル錠は、錠機構が組み込まれた胴体部と、胴体部の前面の開口部に装着され複数個のダイヤルを施錠および解錠の各操作が可能なように外部に臨ませる前面プレートとを有する。前記前面プレートには、各ダイヤルの符号が見えないように全てのダイヤルを覆うことが可能な大きさの蓋板がヒンジ機構を介して開閉可能に設けられている。
【手続補正３】
【補正対象書類名】明細書
【補正対象項目名】００１３
【補正方法】変更
【補正の内容】
【００１３】
また、この発明の好ましい実施態様では、前記ヒンジ機構は、蓋板の開き角度が９０度より大きいときは蓋板をさらに開く方向へ付勢し、開き角度が９０度より小さいときは蓋板を閉じる方向へ付勢する機構を含んでいる。
この実施態様によると、蓋板を開いて蓋板の開き角度が９０度より大きくなると、蓋板はさらに開く方向へ付勢されるので、蓋板は開放状態が維持され、蓋板から手を離しても蓋板は閉動作せず、両手が自由に使えて解錠操作や施錠操作が行い易くなる。また、蓋板を閉じて蓋板の開き角度が９０度より小さくなると、蓋板は閉じる方向へ付勢されるので、蓋板は半開き状態になることがなく、完全に閉じた状態で安定する。